(57)【要約】      （修正有）【課題】流体遮断用バックが膨張したとき、バックと膨張用流体の供給管との接続部分の密封性を簡素な構成で確実に保持する。【解決手段】エラストマー材料から構成されており、内部に流体が供給されることにより膨張する胴部３と、該胴部３の軸心方向両端の少なくともいずれか一方に、流体供給管９を密封接続するための接続部６とを一体に備え、胴部３が、その軸心方向に延びる肉薄部と肉厚部とを備える流体遮断用バック２。【選択図】図１
2015165158.tif 000002
【特許請求の範囲】
【請求項１】
エラストマー材料から構成されており、
内部に流体が供給されることにより膨張する胴部と、該胴部の軸心方向両端の少なくともいずれか一方に、流体供給管を密封接続するための接続部とを一体に備え、
前記胴部が、その軸心方向に延びる肉薄部と肉厚部とを備えることを特徴とする流体遮断用バック。
【請求項２】
前記肉薄部と前記肉厚部とが、前記胴部の周方向に交互に形成されていることを特徴とする請求項１に記載の流体遮断用バック。
【請求項３】
前記胴部において、軸心方向に延びる複数の凸条部及び凹条部が、該胴部の周方向に交互に形成されており、
前記肉薄部が前記凸条部の頂部に形成され、前記肉厚部が前記凹条部の底部に形成されていることを特徴とする請求項２に記載の流体遮断用バック。
【請求項４】
前記胴部の周方向にて隣り合う前記凸条部が、該胴部の軸心方向において互いに異なる位置に設けられていることを特徴とする請求項３に記載の流体遮断用バック。
【請求項５】
前記胴部の軸心に直交する断面において、前記複数の凸条部の右側部の長さが左側部の長さよりも短いか、あるいは前記複数の凸条部の右側部の長さが左側部の長さよりも長く構成されていることを特徴とする請求項３又は４に記載の流体遮断用バック。
【請求項６】
前記胴部の軸心に直交する断面が点対称であることを特徴とする請求項５に記載の流体遮断用バック。
【請求項７】
前記胴部の軸心に直交する断面が線対称であり、対称軸上に前記凹条部が配置されることを特徴とする請求項３又は４に記載の流体遮断用バック。
【請求項８】
前記胴部において、その軸心方向に延びる複数の凸条部と凹条部とが交互に並んで蛇腹状に形成されており、
前記肉薄部が前記凸条部の頂部に形成され、前記肉厚部が前記凹条部の底部に形成されていることを特徴とする請求項１に記載の流体遮断用バック。
【請求項９】
請求項１〜８のいずれか１項に記載の流体遮断用バックと、該流体遮断用バックの接続部に密封接続される流体供給管とを備えることを特徴とする流体遮断装置。
【請求項１０】
前記流体遮断用バックにおける胴部の軸心方向両端のそれぞれに接続部を備え、
前記流体遮断用バックを軸心方向に伸長させた状態で、前記流体供給管を前記胴部の両端の接続部に亘って挿通させて密封接続してあることを特徴とする請求項９に記載の流体遮断装置。
【請求項１１】
前記流体遮断用バックと前記流体供給管とが溶着可能な樹脂材料から構成されており、前記流体供給管と前記接続部とが熱融着されていることを特徴とする請求項９又は１０に記載の流体遮断装置。
【発明の詳細な説明】
【技術分野】
【０００１】
本発明は、ガス管、水道管、煙突等の配管工事において、配管を流れる流体を一時的に遮断する必要があるときに使用される流体遮断用バック及び流体遮断装置に関するものである。
【背景技術】
【０００２】
従来の流体遮断用バックとしては、例えば以下の特許文献１に示すものが挙げられる。この文献に記載される流体遮断用バックは、柔軟性を有するゴム引き布から構成され且つ膨張状態で円筒形となるバック本体を備える。当該バック本体を、その全長にわたって周方向に多数の襞を形成するように折り畳み、且つ、横断面形状で多数の襞を渦巻状に巻き付けた状態に形成する。そして、襞の巻き付け形状を維持する第１保形部を設け、バック本体の先端部においてバック本体を密封すると共に、基端部において襞の巻き付け形状を維持する第２保形部を設けると共に、その第２保形部を介してバック本体と膨張用流体の供給管としての可撓管の一端とで、バック本体と可撓管とを互いに連通接続してある。当該流体遮断用バックを用いて配管工事を行う際は、流体遮断用バックを配管の中に挿入した後、可撓管を介して空気等の膨張用流体をバック本体に送り込んで膨張させ、配管の内周面全周にわたりバック本体を密着させて流体を遮断する。
【先行技術文献】
【特許文献】
【０００３】
【特許文献１】特許第３５２４５７０号公報
【発明の概要】
【発明が解決しようとする課題】
【０００４】
従来の流体遮断用バックにおけるバック本体は元々、その両端が開口する円筒形状を有するものであるため、バック本体と可撓管との接続部分を多数の襞で渦巻状に巻き付けた状態にしたとしても、膨張用流体を送り込んで膨張させると、その巻き付けがほどけて広がり開口し、膨張用流体がその開口した部分から漏れ出てしまう虞がある。
【０００５】
これを防ぐため、従来の流体遮断用バックでは、第２保形部として、ゴム筒や金属製筒など幾つもの部材を使用して、膨張したときに接続部分が広がらないようにして、その密封性を保持する工夫がなされている。しかし、部品点数が多くなり、構造も複雑なものとなるため、製造コスト等が嵩むといった問題を抱えており、改良する余地が残されていた。
【０００６】
本発明の目的は、流体遮断用バックが膨張したときの、膨張用流体の供給管との接続部分の密封性を簡素な構成で確実に保持することにある。
【課題を解決するための手段】
【０００７】
本発明の流体遮断用バックに係る第１特徴構成は、エラストマー材料から構成されており、内部に流体が供給されることにより膨張する胴部と、該胴部の軸心方向両端の少なくともいずれか一方に、流体供給管を密封接続するための接続部とを一体に備え、前記胴部が、その軸心方向に延びる肉薄部と肉厚部とを備える点にある。
【０００８】
〔作用及び効果〕
本構成によれば、流体供給管を密封接続する接続部が一体に設けられているため、従来の流体遮断用バックのように、流体供給管との接続部分が、膨張に伴って広がり開口することはない。即ち、開口するのを防ぐような構成が不要となるため、流体供給管との接続部分の密封性を簡素な構成で確実に保持することができる。
さらに、胴部が、その軸心方向に延びる肉薄部と肉厚部とを備えるため、内圧をかけて膨張させる際、肉薄部は肉厚部よりも伸びて膨張し易く、肉厚部は長手方向（軸心方向）への伸びの妨げとなる。その結果、径方向に膨張し易く、長手方向（軸心方向）にはほとんど膨張しないため、効率良く配管を閉塞することができる。
【０００９】
第２特徴構成は、前記肉薄部と前記肉厚部とが、前記胴部の周方向に交互に形成されている点にある。
【００１０】
〔作用及び効果〕
肉薄部と肉厚部とが、胴部の周方向に交互に形成されていることにより、内圧をかけて膨張させる際、胴部がより均等に径方向に膨張し易くなるため、さらに効率良く配管を閉塞することができる。
【００１１】
第３特徴構成は、前記胴部において、軸心方向に延びる複数の凸条部及び凹条部が、該胴部の周方向に交互に形成されており、前記肉薄部が前記凸条部の頂部に形成され、前記肉厚部が前記凹条部の底部に形成されている点にある。
【００１２】
〔作用及び効果〕
本構成のごとく、胴部において、軸心方向に延びる複数の凸条部及び凹条部を該胴部の周方向に交互に形成することによって、胴部が円筒形状の場合と比べて、同じ周長でも外径を小さくすることができるため、配管への出し入れがし易い。
【００１３】
第４特徴構成は、前記胴部の周方向にて隣り合う前記凸条部が、該胴部の軸心方向において互いに異なる位置に設けられている点にある。
【００１４】
〔作用及び効果〕
本構成によれば、胴部の周方向にて隣り合う凸条部において、各凸条部の長手方向両端の部分が、胴部の軸心方向の位置で互い重なることがないため、各凸条部を胴部の周方向に折り畳み易くなり、流体遮断用バックをよりコンパクト化することができる。
【００１５】
第５特徴構成は、前記胴部の軸心に直交する断面において、前記複数の凸条部の右側部の長さが左側部の長さよりも短いか、あるいは前記複数の凸条部の右側部の長さが左側部の長さよりも長く構成されている点にある。
【００１６】
〔作用及び効果〕
本構成によれば、複数の凸条部の右側部の長さが左側部の長さよりも短いか、あるいは複数の凸条部の右側部の長さが左側部の長さよりも長く構成されているため、折り畳む際に胴部の軸心に向けて各凹条部を押し込むと、各凸条部が、長さの短い側に倒れ易く、且つ各凸条部の倒れる方向が一致する。従って、各凸条部を胴部の同一周方向に折り畳み易く、流体遮断用バックを見栄え良くコンパクト化することができる。
【００１７】
第６特徴構成は、前記胴部の軸心に直交する断面が点対称である点にある。
【００１８】
〔作用及び効果〕
本構成によれば、胴部の軸心に直交する断面が点対称であるため、各凸条部の折り畳みが均一なものとなり、流体遮断用バックをさらに見栄え良くコンパクト化することができる。
【００１９】
第７特徴構成は、前記胴部の軸心に直交する断面が線対称であり、対称軸上に前記凹条部が配置される点にある。
【００２０】
〔作用及び効果〕
ブロー成形を行うと、成形品にパーティングラインという出っ張り部分が形成されることが多い。パーティングラインは、他の部分よりも肉厚のため、流体遮断用バックを折り畳む際に曲げ難く、皺の原因となって見栄えが悪くなることがある。
しかしながら、本構成によれば、胴部の軸心に直交する断面が線対称であり、対称軸上に凹条部が配置されるため、金型の合わせ面が凹条部に配置されるように構成することで、パーティングラインを凹条部に形成させるようにすることが可能となる。これにより、凹条部にパーティングラインが形成されるが、流体遮断用バックを折り畳む際に、胴部の軸心に向けて各凹条部を押し込むと、パーティングラインが内側に隠れることになるため、外表面に皺が形成され難くなる。
従って本構成によれば、流体遮断用バックを折り畳む際、見栄え良くコンパクト化することができる。
【００２１】
第８特徴構成は、前記胴部において、その軸心方向に延びる複数の凸条部と凹条部とが交互に並んで蛇腹状に形成されており、前記肉薄部が前記凸条部の頂部に形成され、前記肉厚部が前記凹条部の底部に形成されている点にある。
【００２２】
〔作用及び効果〕
本構成によれば、胴部が蛇腹状に形成されているため、胴部をその軸心と直交する方向に圧縮することにより、流体遮断用バックを見栄え良くコンパクト化することができる。
【００２３】
本発明の流体遮断装置に係る第１特徴構成は、上記第１〜第８特徴構成のいずれかを備える流体遮断用バックと、該流体遮断用バックの接続部に密封接続される流体供給管とを備える点にある。
【００２４】
〔作用及び効果〕
本構成によれば、流体供給管を介して、流体遮断用バックに確実に流体を供給することが可能となる。さらに、流体供給管を操作することによって、流体遮断用バックを配管の所定の位置まで容易に移動させることができる。
【００２５】
第２特徴構成は、前記流体遮断用バックにおける胴部の軸心方向両端のそれぞれに接続部を備え、前記流体遮断用バックを軸心方向に伸長させた状態で、前記流体供給管を前記胴部の両端の接続部に亘って挿通させて密封接続してある点にある。
【００２６】
〔作用及び効果〕
本構成によれば、流体遮断用バックが軸心方向の両側から引っ張られる状態となるため、流体遮断用バックの胴部の外径をより小さくすることができる。
【００２７】
第３特徴構成は、前記流体遮断用バックと前記流体供給管とが溶着可能な樹脂材料から構成されており、前記流体供給管と前記接続部とが熱融着されている点にある。
【００２８】
〔作用及び効果〕
本構成によれば、流体供給管と流体遮断用バックとが熱融着するため、流体遮断用バックの密封性がより確実に保持される。
【図面の簡単な説明】
【００２９】
【図１】本発明の流体遮断装置（第１実施形態）の斜視図である。
【図２】本発明の流体遮断装置（第１実施形態）の縦断側面図である。
【図３】図２の接続部付近を拡大した図である。
【図４】本発明の流体遮断装置（第１実施形態）における流体遮断用バックが膨張する状態を示す縦断正面図である（矢印は流体遮断用バックの膨張方向を示しており、白抜きの矢印は膨張用流体の噴出を示す）。
【図５】本発明の流体遮断用バックの折り畳み方法を示す図である。
【図６】本発明の流体遮断装置（第２実施形態）の縦断面斜視図である。
【図７】本発明の流体遮断装置（第２実施形態）の縦断面斜視図である。
【図８】本発明の流体遮断装置（第３実施形態）の正面図である
【図９】本発明の流体遮断装置（第３実施形態）の側面図である
【図１０】本発明の流体遮断装置（第３実施形態）の縦断正面図である。
【図１１】本発明の流体遮断装置（第３実施形態）の斜視図である。
【図１２】本発明の流体遮断装置（第４実施形態）の正面図である
【図１３】本発明の流体遮断装置（第４実施形態）の側面図である
【図１４】本発明の流体遮断装置（第４実施形態）の縦断正面図である。
【図１５】本発明の流体遮断装置（第４実施形態）の斜視図である。
【図１６】本発明の流体遮断装置（第５実施形態）の斜視図である。
【図１７】本発明の流体遮断装置（第５実施形態）の縦断正面図である。
【図１８】本発明の流体遮断装置（第６実施形態）の斜視図である。
【図１９】本発明の流体遮断装置（第６実施形態）の縦断正面図である。
【図２０】本発明の流体遮断装置のその他の実施形態の側面図である。
【図２１】実施例１及び実施例２に係る流体遮断用バックの縦断側面（ａ）及び縦断正面（ｂ）のそれぞれを模式的に示した図である。
【図２２】実施例１及び実施例２に係る流体遮断用バックの各部位の厚みを測定した結果を示す図である。
【図２３】実施例１及び実施例２に係る流体遮断用バックを膨張させたときの外径と長さの推移を測定した結果を示す図である。
【発明を実施するための形態】
【００３０】
〔第１実施形態〕
（流体遮断装置）
図１及び図２に示すように、本実施形態に係る流体遮断装置１は、少なくとも流体遮断用バック２と、該流体遮断用バック２に流体を供給するための流体供給管９とを備え、必要に応じて、例えば、エアポンプなどの膨張用流体供給装置（図示せず）等を備えて構成される。
【００３１】
（流体遮断用バック）
図１及び図２に示すように、本実施形態に係る流体遮断用バック２は、内部に流体が供給されることにより膨張する胴部３と、該胴部３の軸心方向両端のそれぞれに、流体供給管９を密封接続するための円筒形状の接続部６とを一体に備えて構成されている。
【００３２】
流体遮断用バック２は、エラストマー材料から構成されている。適用するエラストマー材料の引張り強さ（試験条件ＪＩＳ  Ｋ６２５１：２０１０）は１０ＭＰａ以上、より好ましくは強靭であるという点から２０ＭＰａ以上が望ましい。またエラストマー材料の切断時伸び（試験条件ＪＩＳ  Ｋ６２５１：２０１０）は３００％以上、より好ましくは規定以上の内圧がかかった場合にも破裂しないという点から、５００％以上が望ましい。またエラストマー材料の１００％モジュラス（試験条件ＪＩＳ  Ｋ６２５１：２０１０）は１ＭＰａ〜５ＭＰａ、より好ましくは施工性及び低圧での膨張性の良さという点から２ＭＰａ〜４ＭＰａが望ましい。また、エラストマー材料の引張永久伸び（試験条件ＪＩＳ  Ｋ６２７３：２００６、２４時間、１００％伸長）は、７０％以下、より好ましくは復元性に優れるという点から５０％以下が望ましい。また、エラストマー材料の硬さ（試験条件ＪＩＳ  Ｋ６２５３−３：２０１２）は、Ａ５０〜Ａ９０が望ましく、施工性という点からＡ６５〜Ａ８５がさらに望ましい。
【００３３】
このようなエラストマー材料としては、例えば、ウレタン系エラストマー、オレフィン系エラストマー、スチレン系エラストマー、ポリエステル系エラストマー、ポリアミド系エラストマー、天然ゴム、スチレンブタジエンゴム、ブタジエンゴム、クロロプレンゴム、アクリロニトリルブタジエンゴム、エチレンプロピレンゴム、ブチルゴム、シリコーンゴム、フッ素ゴム、アクリルゴム等が挙げられ、柔軟性及び加工性に優れるという点を考慮すれば、特にウレタン系エラストマー又はスチレン系エラストマーが好ましい。また上述のエラストマー材料を適宜組み合わせて混ぜ合わせたものを用いても良い。
【００３４】
２つの接続部６は、胴部３の軸心方向両端のそれぞれにおいて、正面視にて略中央の位置（図４参照）から外側に突出するように胴部３に一体に設けられている。尚、２つの接続部６の軸心は胴部３の軸心と一致する。
【００３５】
胴部３には、その軸心方向に延びる複数の凹条部４及び凸条部５が、周方向に交互に形成されている。本実施形態においては、凹条部４及び凸条部５のそれぞれが４つずつ、胴部３の周方向に等間隔で形成されている。凹条部４は、胴部３の軸心に向かって引退する縦断面形状が円弧状の曲面を有しており、一方、凸条部５は、胴部３の軸心から外側に突出する縦断面形状が円弧状の曲面を有する。
【００３６】
また、図４に示すように、胴部３では、凹条部４の底部に向かうほど肉厚に形成され、凸条部５の頂部に向かうほど肉薄に形成されている。便宜上、凹条部４の底部を肉厚部４ａと称し、凸条部５の頂部を肉薄部５ａと称する。従って、膨張状態にある胴部３の周方向には、胴部３の軸心方向に延びる肉厚部４ａと肉薄部５ａとが交互に形成される。肉厚部の厚みＡと肉薄部の厚みＢとの比（Ａ/Ｂ）は、１．５〜４が望ましく、さらに成形性に優れるという点を考慮すると、２〜３が望ましい。
【００３７】
尚、本実施形態においては、胴部３において、４つの凹条部４を周方向に等間隔で設ける構成を示したが、この構成に限定されるものではなく、複数の凹条部４を設ける構成であればその数は必要に応じて任意に設定して良い。また、それら複数の凹条部４を必ずしも周方向に等間隔で設ける構成としなくとも良い。また凸条部５についても上記凹条部４の構成と同様のことが言える。
【００３８】
接続部６には、胴部３の内側と外側とを連通する挿通孔７が形成されている。接続部６の挿通孔７の内径は、後述する流体供給管９の外径と略同じか、又はわずかに小さく設定されている。
【００３９】
（流体供給管）
流体供給管９は、円筒形状の可撓管である。流体供給管９の構成素材としては、例えば、ウレタン樹脂、ポリオレフィン樹脂、塩化ビニル樹脂、ポリエステル樹脂、ポリアミド樹脂、ポリカーボネート樹脂、アクリル樹脂等が挙げられるが、上述の流体遮断用バック２を構成するエラストマー材料との相性を考慮すると、特に、ウレタン樹脂、塩化ビニル樹脂、ポリアミド樹脂が好ましい。勿論、上述の流体遮断用バック２のエラストマー材料と同じ材料で構成しても良い。
【００４０】
図１及び図２に示すように、流体供給管９は、その一端が樹脂栓１１で塞がれており、他端が図示しない膨張用流体供給装置に接続されている。また、流体供給管９における樹脂栓１１を差し込まれた側の端部から少し離れた位置の側面に、軸心方向に沿って複数の貫通孔１０が千鳥状に設けられている。尚、流体供給管９の貫通孔１０を設ける領域の軸心方向の長さは、流体遮断用バック２の胴部３の内側の軸心方向の長さと略同じである。      
【００４１】
流体供給管９は、流体遮断用バック２における胴部の両端の接続部６の挿通孔７にわたるように挿通されており、流体供給管９と接続部６とが密封接続されている。このとき、流体供給管９の複数の貫通孔１０は、流体遮断用バック２の胴部３の中に配置される。
【００４２】
流体供給管９と流体遮断用バック２の接続部６とを密封接続する方法については、公知の方法を用いることができ、例えば、適当な接着剤を用いて密封接着しても良いし、あるいは、流体供給管９と、流体遮断用バック２の接続部６とを熱融着するようにしても良いが、より高い密封性能と接続強度を確保する点から言えば熱融着が望ましい。尚、熱融着を実施する場合には、流体供給管９と流体遮断用バック２とが溶着可能な樹脂材料で構成されていることが、密封性能と接続強度のさらなる向上を図るうえで望ましい。
【００４３】
本実施形態に係る流体遮断装置１は、以下のごとく、流体遮断用バック２と流体供給管９とをそれぞれ作製した後、これらを密封接続することにより製造することができる。
【００４４】
（流体遮断用バックの作製方法）
流体遮断用バック２は、公知の押出ブロー成形法によって作製することができる。
従来公知の押出機を使用し、エラストマー材料に熱を加えつつチューブ状に押し出して所定の金型に入れ込んだ後、所定圧力の空気を所定時間吹き込みながら冷却する。尚、ブロー成形では通常、成形体の片端が袋状となり閉塞されるため、その片端部分を切断して開口してもう片方の接続部６を形成する。以上より、胴部３と接続部６とが一体に成形された流体遮断用バック２が作製される。例えば、エラストマー材料としてポリウレタンエラストマーを使用した場合、押出機において約２００℃の熱を加えながら、チューブ状に押出しつつ所定の金型に入れ込む。そして約０．５ＭＰａの圧力の空気を約１分間吹き込みながら冷却することによって、流体遮断用バック２を作製することができる。
【００４５】
（流体供給管の作製方法）
流体供給管９は、公知の押出成形法により作製することができる。
従来公知の押出機を使用して、可撓性材料に熱を加えながらチューブ状に押し出して、冷却した後、先端から所定の距離だけ離れた領域に千鳥状に貫通孔１０を設ける。例えば、可撓性材料として硬質ウレタン樹脂を使用した場合、押出機において約２００℃の熱を加えながら、チューブ状に押出して冷却した後、所定の領域に千鳥状に貫通孔１０を設ける。
【００４６】
（密封接続方法）
流体遮断用バック２における一方の接続部６の挿通孔７に、流体供給管９の貫通孔１０を設けた側の先端部を差し込み、他方の接続部６の挿通孔７から当該先端部を所定の長さまで突き出させる。このときの所定の長さは、流体供給管９の全ての貫通孔１０が、流体遮断用バック２の胴部３の中に配置されるように設定される。
【００４７】
上述のように、流体供給管９を、流体遮断用バック２の軸心方向に突き通すように、流体遮断用バック２の両端の接続部６の挿通孔７にわたって挿通させた後、流体遮断用バック２を軸心方向に少し伸長させた状態として、例えば２つの接続部６のそれぞれに赤外線を照射するなどして、図３に示すように接続部６の内周面と流体供給管９の外周面とを熱溶着させる。
【００４８】
最後に、流体遮断用バック２からわずかに飛び出している流体供給管９の先端部に樹脂栓１１を差し込んで熱融着等により固着させる。
【００４９】
（流体遮断装置の使用方法）
図示しないが、上記構成の流体遮断装置１を使用して、既設のガス管の一部を交換する工事を行う場合を一例として説明する。
【００５０】
先ず、交換対象となるガス管の上流側と下流側のそれぞれに位置するガス管に、気密空間を形成する公知のガス遮断用治具を設ける。各ガス遮断用治具内で、流体遮断用バック２を挿入するための開口を形成する。
【００５１】
そして、２つの開口のそれぞれに流体遮断用バック２を挿入して、流体供給管９を押し操作することによって、所定の位置まで移動させる。このとき、流体遮断用バック２では、流体供給管９が、流体遮断用バック２の両端の接続部６の挿通孔７にわたって挿通されているため、流体遮断用バック２が高い保形性を有する。即ち、ガス管内を移動させる際に流体遮断用バック２が折れ曲がるなどの変形が防止され、その形状を維持し易く、スムーズに流体遮断用バック２を移動させることができる。
【００５２】
また、流体遮断用バック２の胴部３において、軸心方向に延びる複数の凸条部５及び凹条部４を該胴部３の周方向に交互に形成することによって、胴部３が円筒形状の場合と比べて、同じ周長でも外径を小さくすることができるため、ガス管への出し入れがし易い。
【００５３】
また、胴部３の凸条部５を左右の凹条部４のいずれかに寄せるようしてすれば、流体遮断用バック２の全体を縮径させるような形状にすることも可能であり、口径がより小さい配管に導入することが可能となる。
【００５４】
次いで、膨張用流体供給装置として、例えば、空気を供給及び吸引可能なエアポンプを使用し、流体供給管９を当該エアポンプに接続する。そして、エアポンプを作動させて流体供給管９を介して空気を流体遮断用バック２に供給する。エアポンプから供給された空気は、流体供給管９を通って千鳥状の貫通孔１０から噴出して流体遮断用バック２の内部に溜まり、これと共に図４に示すように流体遮断用バック２の胴部３が膨張して円筒袋状となる。尚、ここでは、流体遮断用バック２に膨張用流体として空気を供給する構成を示しているが、これに限定されるものではなく、別の膨張用流体として、不活性ガスなどの他の気体や、液体を使用しても良い。
【００５５】
膨張した流体遮断用バック２の胴部３の外周面が、ガス管の内周面に弾性密着して、これによりガスを気密的に遮断する。
【００５６】
上述の作業を行い、交換対象となるガス管の上流側と下流側のそれぞれにおいてガスが遮断されると、ガス管の取り換え作業が行われる。
【００５７】
取り換え作業の終了後、再びエアポンプを作動させ、今度は空気を吸引する。流体遮断用バック２から空気が抜かれると、その弾性復元力によって、流体遮断用バック２の胴部３が縮み、元の状態に戻る。
【００５８】
元の状態となった流体遮断用バック２を、ガス管に形成した開口を通じて引き抜き、さらに、ガス遮断用治具からも引き抜く。最後に、ガス管の各開口に適当な閉塞部材を取付けた後、ガス遮断用治具を取り外して作業を完了する。
【００５９】
（流体遮断用バックの折り畳み方法）
後の閉塞作業のことを考慮すると、流体遮断用バック２を挿入するために配管に設ける開口径はできるだけ小さいことが望ましい。従って、開口径が小さくとも挿入し易いように、使用前の流体遮断用バック２は、できるだけ細長くコンパクトに折り畳まれていることが望ましい。
【００６０】
そこで、上記流体遮断用バック２の折り畳み方法の一例について以下説明する。
尚、本方法では、４本の細長い円柱状の支柱１６を備える治具１８を使用する。当該治具１８では４本の支柱１６が支持台１７に立設されている。尚、支柱１６の数は、流体遮断用バック２の凹条部４の数に対応する。
【００６１】
図５（ａ）に示すように、流体遮断用バック２と真空ポンプＰとを流体供給管９を介してつなぎ、真空ポンプＰによって流体遮断用バック２の中の空気を抜いて、できるだけ萎ませる。このとき例えば、流体遮断用バック２の内圧を約８ｃｍＨｇまで減圧する。
【００６２】
次いで、図５（ｂ）に示すように、収縮させた流体遮断用バック２を、前述の治具１８の４本の支柱１６の間に差し込む。このとき、４本の支柱１６のそれぞれを流体遮断用バック２の凹条部４のそれぞれに相当する部分に配置させるようにして、流体遮断用バック２を４本の支柱１６で挟む。
【００６３】
次いで、流体遮断用バック２の外周にフィルムＦを緩く巻き付ける。このとき使用可能なフィルムＦとしては、例えば、厚みが５０〜２００μｍほどのポリプロピレンフィルムやポリエステルフィルムなどが挙げられる。
【００６４】
次いで、図５（ｃ）に示すように、治具１８と流体遮断用バック２とを回転させ、緩く巻き付けた前述のフィルムＦを、流体遮断用バック２との摩擦を利用してきつく巻き締める。
【００６５】
次いで、図５（ｄ）に示すように、フィルムＦを巻き付けた流体遮断用バック２を治具１８から取り外し、さらに流体遮断用バック２から流体供給管９を取り外す。
【００６６】
次いで、図５（ｅ）に示すように、フィルムＦを巻き付けた流体遮断用バック２を、ヒーターＨ等を用いて熱処理（例えば、１２０℃、１５分間）を行う。
【００６７】
最後に、図５（ｆ）に示すように、しばらく放置して冷却させた後、フィルムＦを取り外す。
【００６８】
〔第２実施形態〕
以下、本発明に係る流体遮断装置の第２実施形態について、図面に基づいて説明する。尚、重複説明を避けるため、先の第１実施形態で説明した構成と同じ作用を奏する構成については、同じ符号を付すことにより説明を省略し、主として異なる構成についてのみ説明する。
【００６９】
本実施形態における流体遮断用バック２は、膨張及び収縮可能な胴部３、円筒形状の接続部６、及び有底円筒形状の収容部８を備える。接続部６及び収容部８は、胴部３の軸心方向両端のそれぞれにおいて、正面視にて略中央の位置（図４参照）から外側に突出するように胴部３に一体に設けられている。尚、接続部６及び収容部８のそれぞれの軸心は胴部３の軸心と一致する。
【００７０】
収容部８には、接続部６のような挿通孔７は形成されていない。流体遮断用バック２は、上述のように押出ブロー成形法によって作製されるが、このとき袋状に閉塞された成形体の片端を切断することなくそのまま残しておき、これにより収容部８が形成される。収容部８の内径は、接続部６の挿通孔７の内径と同様に、上述の流体供給管９の外径と略同じか、又はわずかに小さく設定されている。
【００７１】
図６に示すように、本実施形態の流体遮断用バック２と、流体供給管９とを密封接続する際、流体遮断用バック２における接続部６の挿通孔７に、流体供給管９の貫通孔１０を設けた側の先端部を差し込んで行き、そのまま収容部８の途中まで差し込む。そして、上述の第１実施形態のときと同様に、流体遮断用バック２を軸心方向に少し伸長させつつ、接続部６に赤外線を照射するなどして、接続部６の内周面と流体供給管９の外周面とを熱溶着させる。
【００７２】
この構成によれば、流体供給管９の先端が収容部８において固定されておらず、さらに収容部８の最奥部と流体供給管９の先端との間に隙間が設けられているため、流体供給により胴部３が径方向に膨張して流体遮断用バック２が軸心方向に収縮したとしても、収容部８の最奥部と流体供給管９の先端とが当接し難い。従って、流体遮断用バック２が膨張して軸心方向に縮んだとしても、流体供給管９に対して圧縮応力が作用し難く、流体供給管９の突っ張りを防止することができる。
【００７３】
また、本実施形態の流体遮断用バック２に対しては、側面に貫通孔１０を持たない流体供給管１５を適用することも可能である。即ち、図７に示すように、流体供給管１５の先端部分を、流体遮断用バック２における接続部６の挿通孔７に差し込み、接続部６に赤外線を照射するなどして、接続部６の内周面と流体供給管１５の先端部分の外周面とを熱溶着させる。
【００７４】
この構成によれば、流体供給管１５が、流体遮断用バック２の軸心方向全体に亘っていないため、流体遮断用バック２が膨張したとしても、流体供給管１５に対して圧縮応力が作用することはない。また流体供給管１５は、貫通孔を備えていない分、簡素化されており、製造コスト面においても有利である。
【００７５】
〔第３実施形態〕
以下、本発明に係る流体遮断装置の第３実施形態について、図面に基づいて説明する。尚、重複説明を避けるため、先の第１実施形態で説明した構成と同じ作用を奏する構成については、同じ符号を付すことにより説明を省略し、主として異なる構成についてのみ説明する。
【００７６】
図８、図９、図１１に示すように、第３実施形態の流体遮断用バック２では、胴部３の軸心方向に延びる複数の凹条部４及び凸条部５が、胴部３の周方向に交互に形成されている。
【００７７】
図８に示すように、凸条部５の傾斜部分５ｂが、同じ方向に湾曲しつつ軸心から延びている。また、凹条部４は、胴部３の軸心に向かって引退する湾曲面を有する。そのため、図１０に示すように、本実施形態における胴部３の軸心に直交する断面は、全体として風車のような形状となる。
【００７８】
図１０に示すように、本実施形態における流体遮断用バック２は、胴部３の軸心に直交する断面において、４つの凸条部５のいずれにおいても、その右側部の長さＲが左側部の長さＬよりも短く構成されている（Ｒ＜Ｌ）。
【００７９】
尚、凸条部５の右側部の長さＲとは、その凸条部５の右側に隣接する凹条部４の底からその凸条部５の頂点に至るまでの距離を意味しており、凸条部５の左側部の長さＬとは、その凸条部５の左側に隣接する凹条部４の底からその凸条部５の頂点に至るまでの距離を意味する。
【００８０】
本実施形態では、右側部の長さＲが左側部の長さＬよりも短く設定されているが（Ｒ＜Ｌ）、逆に、右側部の長さＲが左側部の長さＬよりも長く設定されている構成（Ｒ＞Ｌ）であっても良い。
【００８１】
本構成によれば、複数の凸条部５の右側部の長さＲが左側部の長さＬよりも短いか、あるいは複数の凸条部５の右側部の長さＲが左側部の長さＬよりも短く構成されているため、折り畳む際に胴部の軸心に向けて各凹条部４を押し込むと、各凸条部５が、長さの短い側に倒れ易く、且つ各凸条部５の倒れる方向が一致する。従って、各凸条部５を胴部３の同一周方向に折り畳み易く、流体遮断用バック２を見栄え良くコンパクト化することができる。
【００８２】
また特に本構成では、図１０に示すように、胴部３の軸心に直交する断面が点対称であるため、各凸条部５の折り畳みが均一なものとなり、流体遮断用バック２をさらに見栄え良くコンパクト化することができる。尚、胴部３の軸心に直交する断面は、必ずしも点対称でなくとも良い。
【００８３】
〔第４実施形態〕
以下、本発明に係る流体遮断装置の第４実施形態について、図面に基づいて説明する。尚、重複説明を避けるため、先の第１実施形態で説明した構成と同じ作用を奏する構成については、同じ符号を付すことにより説明を省略し、主として異なる構成についてのみ説明する。
【００８４】
図１２、図１３、図１５に示すように、第４実施形態の流体遮断用バック２では、胴部３の軸心方向に延びる複数の凹条部４及び凸条部５が、胴部３の周方向に交互に形成されている。
【００８５】
図１２に示すように、凸条部５の傾斜部分５ｂが、軸心から放射状に直線的に延びている。また凹条部４は、胴部３の軸心に向かってＶ字状に引退する傾斜面を有する。そのため、図１４に示すように、胴部３の軸心に直交する断面が全体として手裏剣のような形状となる。
【００８６】
図１４に示すように、本実施形態における流体遮断用バック２は、胴部３の軸心に直交する断面において、４つの凸条部５のいずれにおいても、その右側部の長さＲが左側部の長さＬよりも短く構成されている（Ｒ＜Ｌ）。
【００８７】
尚、凸条部５の右側部の長さＲとは、その凸条部５の右側に隣接する凹条部４の底からその凸条部５の頂点に至るまでの距離を意味しており、凸条部５の左側部の長さＬとは、その凸条部５の左側に隣接する凹条部４の底からその凸条部５の頂点に至るまでの距離を意味する。
【００８８】
本実施形態では、右側部の長さＲが左側部の長さＬよりも短く設定されているが（Ｒ＜Ｌ）、逆に、右側部の長さＲが左側部の長さＬよりも長く設定されている構成（Ｒ＞Ｌ）であっても良い。
【００８９】
本構成によれば、複数の凸条部５の右側部の長さＲが左側部の長さＬよりも短いか、あるいは複数の凸条部５の右側部の長さＲが左側部の長さＬよりも短く構成されているため、折り畳む際に胴部の軸心に向けて各凹条部４を押し込むと、各凸条部５が、長さの短い側に倒れ易く、且つ各凸条部５の倒れる方向が一致する。従って、各凸条部５を胴部３の同一周方向に折り畳み易く、流体遮断用バック２を見栄え良くコンパクト化することができる。
【００９０】
また特に本構成では、図１４に示すように、胴部３の軸心に直交する断面が点対称であるため、各凸条部５の折り畳みが均一なものとなり、流体遮断用バック２をさらに見栄え良くコンパクト化することができる。尚、胴部３の軸心に直交する断面は、必ずしも点対称でなくとも良い。
【００９１】
〔第５実施形態〕
以下、本発明に係る流体遮断装置の第５実施形態について、図面に基づいて説明する。尚、重複説明を避けるため、先の第１実施形態で説明した構成と同じ作用を奏する構成については、同じ符号を付すことにより説明を省略し、主として異なる構成についてのみ説明する。
【００９２】
図１６に示すように、第５実施形態の流体遮断用バック２では、胴部３の軸心方向に延びる複数の凹条部４及び凸条部５が、胴部３の周方向に交互に形成されている。
【００９３】
図１７に示すように、本実施形態にの流体遮断用バック２では、胴部３の軸心に直交する断面が、アルファベットの「Ｈ」のような形状であって、互いに直交する２つの対称軸Ｓ１，Ｓ２を有する。従って、胴部３の軸心に直交する断面は、線対称であり且つ点対称であるが、これに限るものではなく、少なくとも線対称であれば良い。
【００９４】
また、本実施形態の流体遮断用バック２は、胴部３の軸心に向かってＶ字状に引退する傾斜面を有する２つの凹条部４（以下、Ｖ字凹条部４と称する）と、胴部３の軸心に向かってＵ字状に引退する湾曲面を有する２つの凹条部４（以下、Ｕ字凹条部４と称する）とを備える。本実施形態では、Ｕ字凹条部４は対称軸Ｓ１上に配置され、Ｖ字凹条部４は対称軸Ｓ２上に配置され、Ｕ字凹条部４の溝の深さは、Ｖ字凹条部４の溝よりも深く構成されている。
【００９５】
ブロー成形を行うと、成形品にパーティングラインという出っ張り部分が形成されることが多い。パーティングラインは、他の部分よりも肉厚のため、流体遮断用バック２を折り畳む際に曲げ難く、皺の原因となって見栄えが悪くなることがある。
【００９６】
しかしながら、本構成によれば、胴部３の軸心に直交する断面が線対称であり、対称軸上に凹条部４が配置されるため、金型の合わせ面が凹条部４に配置されるように構成することで、パーティングラインを凹条部４に形成させるようにすることが可能となる。尚、本実施形態では、パーティングラインを、対称軸Ｓ２上のＶ字凹条部４に形成させるようにすることができる。
【００９７】
これにより、Ｖ字凹条部４にパーティングラインが形成されるが、流体遮断用バック２を折り畳む際に、胴部３の軸心に向けてＶ字凹条部４を押し込むと、パーティングラインが内側に隠れることになるため、外表面に皺が形成され難い。従って本構成によれば、流体遮断用バック２を折り畳む際、見栄え良くコンパクト化することができる。
【００９８】
〔第６実施形態〕
以下、本発明に係る流体遮断装置の第６実施形態について、図面に基づいて説明する。尚、重複説明を避けるため、先の第１実施形態で説明した構成と同じ作用を奏する構成については、同じ符号を付すことにより説明を省略し、主として異なる構成についてのみ説明する。
【００９９】
図１８及び図１９に示すように、第６実施形態における流体遮断用バック２は、扁平状の胴部３を備える。胴部３は、その軸心方向に延びる複数のと凹条部４と凸条部５とが交互に並んで蛇腹状に形成されている。尚、肉厚部４ａが凹条部４の底部に形成され、肉薄部５ａが凸条部５の頂部に形成されている。
【０１００】
本構成によれば、胴部３が蛇腹状に形成されているため、胴部３をその軸心と直交する方向に圧縮することにより、流体遮断用バック２を見栄え良くコンパクト化することができる。
【０１０１】
尚、本実施形態では、左右両端に配置される凸条部５の横幅と高さが他の凸条部５よりも大きく設定されている。これにより、胴部３を圧縮したとき、左右両端の凸条部５が、圧縮された他の凸条部５と凹条部４とを中に包み込むように回り込み、全体があたかも棒状となるように折り畳むことができる。
【０１０２】
〔その他の実施形態〕
（１）上記第１〜第４実施形態における流体遮断用バック２について、図２０に示すように構成しても良い。即ち、本実施形態における流体遮断用バック２の胴部３は、軸心方向に連設する大径部分３ａと小径部分３ｂとを備えており、胴部３の周方向にて隣り合う凸条部５が、該胴部３の軸心方向において互いに異なる位置に設けられている。
【０１０３】
図２０に示される実施形態では、４つの凸条部５のうちの２つが胴部３の大径部分３ａに設けられており、残り２つの凸条部５が胴部３の大径部分３ａと小径部分３ｂに亘るように設けられている。そして、大径部分３ａにのみ設けられた凸条部５、及び大径部分３ａと小径部分３ｂに亘るように設けられた凸条部５が、胴部３の周方向に交互に配置されている。
【０１０４】
これにより、胴部３の周方向にて隣り合う凸条部５において、各凸条部５の長手方向両端の傾斜部分５ｂが、胴部３の軸心方向の位置で互い重なることがないため、各凸条部５を胴部３の周方向に折り畳み易くなり、流体遮断用バック２をよりコンパクト化することができる。
【０１０５】
（２）上記第２実施形態の構成を、上記第３〜第６実施形態に適用しても良い。即ち、流体遮断用バック２に収容部８を設けたり、あるいはさらに、側面に貫通孔１０を持たない流体供給管１５を適用するようにしても良い。
【実施例】
【０１０６】
（実施例１）
上述の第１実施形態に係る流体遮断用バック２を、押出ブロー成形法によって作製した。エラストマー材料としてポリウレタンエラストマー（ＢＡＳＦジャパン社製「ＥＴ８７０−１１Ｖ」及び「ＥＴ８８５」）を使用した。押出機を使用し、約２００℃の熱を加えながら、チューブ状に押出しつつ所定の金型に入れ込み、約０．５ＭＰａの圧力の空気を約１分間吹き込みながら冷却した。これにより、内径１００ｍｍ〜１１０ｍｍの配管に適用される上述の第１実施形態に係る流体遮断用バック２を作製した。
【０１０７】
ポリウレタンエラストマーの「ＥＴ８７０−１１Ｖ」及び「ＥＴ８８５」のそれぞれについて、流体遮断用バック２を２つずつ作製した。ＥＴ８７０−１１Ｖで作製したものを試料１及び試料２とし、ＥＴ８８５で作製したものを試料３及び試料４とした。
【０１０８】
尚、ポリウレタンエラストマーの「ＥＴ８７０−１１Ｖ」及び「ＥＴ８８５」それぞれの物性について以下の表１にまとめた。
【０１０９】
【表１】
2015165158.tif 000003
【０１１０】
作製した試料１〜４について、図２１（ａ）のＸ断面、Ｙ断面、Ｚ断面のそれぞれにおいて、図２１（ｂ）に示す部位ａ〜ｈの厚みを測定した。結果を図２２に示す。
【０１１１】
図２２に示すように、試料１〜４の全てのサンプルにおいて、凹条部４の底部（部位ｂ、ｄ、ｆ、ｇ）はいずれも、凸条部５の頂部（部位ａ、ｃ、ｅ、ｈ）よりも厚いものであった。即ち、本実施例に係る流体遮断用バック２の胴部３では、凹条部４の底部に向かうほど肉厚に形成され、凸条部５の頂部に向かうほど肉薄に形成されていることが分かった。
【０１１２】
次いで、試料１〜４のそれぞれにおいて、片方の接続部６を塞ぎ、もう片方の接続部６から空気を供給した。試料１及び試料２については、空気圧を１０ｋＰａから３０ｋＰａまで１０ｋＰａづつ上げて膨張させた後、再び空気圧を１０ｋＰａまで戻した。また試料３及び試料４については、空気圧を１０ｋＰａから５０ｋＰａまで１０ｋＰａづつ上げて膨張させた後、再び空気圧を１０ｋＰａまで戻した。そして、各空気圧において、図２１（ａ）のＸ断面、Ｙ断面、Ｚ断面のそれぞれにおける外径の大きさと、Ｌの長さを測定した。結果を図２３に示す。尚、図２３中の変化率（％）は、１０ｋＰａの空気を供給して膨張させたときの流体遮断用バック２を基準として算出した。
【０１１３】
図２３に示すように、試料１〜４の全てにおいて、胴部３の外径については空気圧が高くなるほど大きくなるが、胴部３の長手方向（軸心方向）の長さはほとんど変わらなかった。即ち、本実施例に係る流体遮断用バック２に内圧をかけて膨張させると、径方向に膨張し易く、長手方向（軸心方向）にはほとんど膨張しないため、効率良く配管を閉塞することが可能であることが分かった。尚、その理由としては、肉薄部は伸びて膨張し易いが、肉厚部は長手方向（軸心方向）への伸びを妨げる状態となり、その結果、長手方向（軸心方向）への膨張よりも、径方向への膨張が優先されるためと考えられた。
【０１１４】
また、試料１〜４の全てにおいて、Ｘ断面、Ｙ断面、Ｚ断面のそれぞれにおける外径は略同じ大きさに膨張した。即ち、試料１〜４はいずれも、片膨れなどを起こさずに円筒状に膨張しており、配管のシール面積が大きいことが分かった。また試料１〜４の全てにおいて、内圧を下げると外径は略元に戻り、復元性が良いことも確認された。
【０１１５】
（実施例２）
エラストマー材料として、ポリアミドエラストマーを使用して、前述の実施例１と同様に流体遮断用バック２を押出ブロー成形法によって作製した。
【０１１６】
ポリアミドエラストマーの使用量を３０ｇ及び３５ｇとしたものについて、それぞれを２つずつ作製した。３０ｇで作製したものを試料５及び試料６とし、３５ｇで作製したものを試料７及び試料８とした。
【０１１７】
作製した試料５〜８について、図２１（ａ）のＸ断面、Ｙ断面、Ｚ断面のそれぞれにおいて、図２１（ｂ）に示す部位ａ〜ｈの厚みを測定した。結果を図２２に示す。
【０１１８】
図２２に示すように、試料５〜８の全てのサンプルにおいて、凹条部４の底部（部位ｂ、ｄ、ｆ、ｇ）はいずれも、凸条部５の頂部（部位ａ、ｃ、ｅ、ｈ）よりも厚いものであった。即ち、本実施例に係る流体遮断用バック２の胴部３では、凹条部４の底部に向かうほど肉厚に形成され、凸条部５の頂部に向かうほど肉薄に形成されていることが分かった。
【０１１９】
次いで、試料５〜８のそれぞれにおいて、片方の接続部６を塞ぎ、もう片方の接続部６から空気を供給した。試料５及び試料６については、空気圧を１０ｋＰａから４０ｋＰａまで１０ｋＰａづつ上げて膨張させた。また試料７及び試料８については、空気圧を１０ｋＰａから５０ｋＰａまで１０ｋＰａづつ上げて膨張させた。そして、各空気圧において、図２１（ａ）のＸ断面、Ｙ断面、Ｚ断面のそれぞれにおける外径の大きさと、Ｌの長さを測定した。結果を図２３に示す。尚、図２３中の変化率（％）は、１０ｋＰａの空気を供給して膨張させたときの流体遮断用バック２を基準として算出した。
【０１２０】
図２３に示すように、試料５〜８の全てにおいて、胴部３の外径については空気圧が高くなるほど大きくなるが、胴部３の長手方向（軸心方向）の長さはほとんど変わらなかった。即ち、本実施例に係る流体遮断用バック２に内圧をかけて膨張させると、径方向に膨張し易く、長手方向（軸心方向）にはほとんど膨張しないため、効率良く配管を閉塞することが可能であることが分かった。
【０１２１】
また、試料５〜８の全てにおいて、Ｘ断面、Ｙ断面、Ｚ断面のそれぞれにおける外径は略同じ大きさに膨張した。即ち、試料５〜８はいずれも、片膨れなどを起こさずに円筒状に膨張しており、配管のシール面積が大きいことが分かった。また試料５〜８の全てにおいて、内圧を下げると外径は略元に戻り、復元性が良いことも確認された。
【産業上の利用可能性】
【０１２２】
本発明に係る流体遮断装置は、ガス管、水道管、煙突等の配管工事において、配管を流れる流体を一時的に遮断する必要がある産業分野において好適に利用することができる。
【符号の説明】
【０１２３】
１  流体遮断装置
２  流体遮断用バック
３  胴部
３ａ  大径部分
３ｂ  小径部分
４  凹条部
４ａ  肉厚部
５  凸条部
５ａ  肉薄部
５ｂ  傾斜部分
６  接続部
７  挿通孔
８  収容部
９  流体供給管
１０  千鳥状の貫通孔
１１  樹脂栓
１５  流体供給管（貫通孔無し）
１６  支柱
１７  支持台
１８  治具
Ｆ  フィルム
Ｐ  真空ポンプ
Ｓ１，Ｓ２  対称軸
【図１】
2015165158.tif 000004
【図２】
2015165158.tif 000005
【図３】
2015165158.tif 000006
【図４】
2015165158.tif 000007
【図５】
2015165158.tif 000008
【図６】
2015165158.tif 000009
【図７】
2015165158.tif 000010
【図８】
2015165158.tif 000011
【図９】
2015165158.tif 000012
【図１０】
2015165158.tif 000013
【図１１】
2015165158.tif 000014
【図１２】
2015165158.tif 000015
【図１３】
2015165158.tif 000016
【図１４】
2015165158.tif 000017
【図１５】
2015165158.tif 000018
【図１６】
2015165158.tif 000019
【図１７】
2015165158.tif 000020
【図１８】
2015165158.tif 000021
【図１９】
2015165158.tif 000022
【図２０】
2015165158.tif 000023
【図２１】
2015165158.tif 000024
【図２２】
2015165158.tif 000025
【図２３】
2015165158.tif 000026